(57)【要約】【課題】透明板の受け部分の強度を確保した上で受け皿の大容量化が可能なパチンコ機を提供する。【解決手段】パチンコ機Ｐは、一体扉タイプの前面扉３のベース部材２４から上段受皿１３が突出するように設けられており、この上段受皿１３の背面板２６を部分的に奥側へ窪ませて拡張部２６ａとなすと共に、前面扉３のベース部材２４に、透明板４の下面に対向する載置部２４ａと、拡張部２６ａの背面に対向するように載置部２４ａから屈曲すると共に透明板４の背面と略同一面内を下方へ延びる垂下部２４ｂと、この垂下部２４ｂの下端から前方へ突出して拡張部２６ａの底面の傾斜部２６ｂに対向する突出部２４ｃとを形成し、これら載置部２４ａと垂下部２４ｂおよび突出部２４ｃが連続するコ字形状によって透明板４の荷重を受け止めるようにした。【選択図】図５
2014236855.tif 000002
【特許請求の範囲】
【請求項１】
機枠と、この機枠に対してヒンジ機構を介して開閉可能に軸支された本体枠と、この本体枠に支持された遊技盤と、前記本体枠に別のヒンジ機構を介して開閉可能に軸支されると共に前記遊技盤に対向する開口部を有する前面扉と、前記開口部を塞ぐように前記前面扉に支持された透明板と、この透明板よりも下方位置で前記前面扉のベース部材から突出するように設けられた受け皿と、前記本体枠に設けられた遊技球払出装置と、前記遊技盤よりも下方に設けられた遊技球の発射装置とを備え、前記受け皿には、前記遊技球払出装置から排出される遊技球を受け入れる取込口と、この遊技球を前記発射装置に向けて供給する供給口とが左右方向に離間した位置に設けられているパチンコ機において、
前記開口部の下辺部に位置する前記受け皿の背面板を左右方向の途中から前記取込口に至るまで部分的に奥側へ窪ませて拡張部となすと共に、この拡張部の底面が斜め前方に向かって傾斜する傾斜部となっており、
前記前面扉の前記ベース部材が、前記透明板の下面に対向する載置部と、前記拡張部の背面に対向するように前記載置部から屈曲すると共に前記透明板の背面と略同一面内を下方へ延びる垂下部と、この垂下部の下端から前方へ突出して前記傾斜部に対向する突出部とを有していることを特徴とするパチンコ機。
【請求項２】
請求項１の記載において、前記遊技盤の下方部に前記垂下部の裏面と対向する発射側面を設けると共に、前記遊技盤と前記透明板の背面との間に遊技領域を設け、前記垂下部の裏面と前記発射側面との間に、前記遊技領域に向けて前記発射装置から発射された遊技球の発射軌道を形成するための所定間隔が設けられていることを特徴とするパチンコ機。
【請求項３】
請求項１の記載において、前記背面板と前記ベース部材がいずれも合成樹脂製の成形品であると共に、前記拡張部の背面と前記垂下部との間に金属板が介設されていることを特徴とするパチンコ機。
【発明の詳細な説明】
【技術分野】
【０００１】
本発明は、遊技球を用いて遊技を行うパチンコ機に係り、特に、遊技球を受け入れる受け皿が前面扉に設けられているパチンコ機に関するものである。
【背景技術】
【０００２】
一般的にパチンコ機は、遊技場の島設備に設置される縦長方形状の機枠と、この機枠に対してヒンジ機構を介して開閉可能に軸支された本体枠と、この本体枠の内側に収容された遊技盤と、本体枠の前面に別のヒンジ機構を介して開閉可能に軸支された前面扉とを備えており、前面扉に形成された開口部には遊技盤を目視可能な透明板が取り付けられている。本体枠の背面側には、島設備から供給される遊技球を貯留する貯留タンクや、貯留タンク内に貯留された遊技球を払い出すための遊技球払出装置の他、遊技に関する制御を行う種々の制御基板等が配設されている。また、前面扉の前面側には上面を開口した受け皿が設けられており、この受け皿は透明板よりも下方位置で前方へ突出している。受け皿には、遊技球払出装置から払い出された遊技球を受け入れる取込口と、受け皿内の遊技球を発射装置に向けて供給する供給口とが形成されており、この発射装置から遊技盤の遊技領域に対して遊技球が打ち出されるようになっている。
【０００３】
このようなパチンコ機において、大当たり時に獲得できる遊技球の出球数は近年増える傾向にあり、それに伴って受け皿の大容量化が要望されている。そこで従来より、受け皿の背面板を部分的に奥側へ窪ませて拡張部となし、この拡張部を追加した分だけ遊技球の貯留スペースを拡大するようにしたパチンコ機が提案されている（例えば、特許文献１参照）。かかる従来のパチンコ機において、前面扉は上下に分割された上側扉と下側扉とによって構成されており、これら上側扉と下側扉はそれぞれ別のヒンジ機構を介して本体枠に開閉可能に軸支されている。上側扉には積層ガラス等からなる透明板が支持されており、受け皿は下側扉のベース部材から前方へ突出するように設けられている。そして、下側扉の閉鎖状態で受け皿の拡張部を上側扉の下面に重ね合わせることにより、受け皿の前方への突出量を抑えた上で大容量化を実現できるようになっている。
【先行技術文献】
【特許文献】
【０００４】
【特許文献１】特開２００６−２０４５２１号公報
【発明の概要】
【発明が解決しようとする課題】
【０００５】
ところで、特許文献１に開示された従来技術では、拡張部を有する受け皿を下側扉に設けることによって大容量化が図られているが、本体枠に対して上側扉と下側扉を個別のヒンジ機構を介して軸支する必要があるため、ヒンジ機構を含めて前面扉の全体構造が複雑になるという難点がある。一方、透明板を支持する前面扉に受け皿を設けた一体扉タイプのパチンコ機も知られており、このようなパチンコ機に特許文献１に開示された技術を適用した場合、前面扉のヒンジ機構を簡略化した上で受け皿の大容量化を実現できるものの、受け皿の背面板を奥側へ窪ませることによって拡張部の上面が切り欠かれてしまうため、重量の大きな透明板を受ける部分の機械的強度が低下してしまうという新たな問題が発生する。
【０００６】
本発明は、このような従来技術の実情に鑑みてなされたもので、その目的は、透明板の受け部分の強度を確保した上で受け皿の大容量化が可能なパチンコ機を提供することにある。
【課題を解決するための手段】
【０００７】
上記の目的を達成するために、本発明は、機枠と、この機枠に対してヒンジ機構を介して開閉可能に軸支された本体枠と、この本体枠に支持された遊技盤と、前記本体枠に別のヒンジ機構を介して開閉可能に軸支されると共に前記遊技盤に対向する開口部を有する前面扉と、前記開口部を塞ぐように前記前面扉に支持された透明板と、この透明板よりも下方位置で前記前面扉のベース部材から突出するように設けられた受け皿と、前記本体枠に設けられた遊技球払出装置と、前記遊技盤よりも下方に設けられた遊技球の発射装置とを備え、前記受け皿には、前記遊技球払出装置から排出される遊技球を受け入れる取込口と、この遊技球を前記発射装置に向けて供給する供給口とが左右方向に離間した位置に設けられているパチンコ機において、前記開口部の下辺部に位置する前記受け皿の背面板を左右方向の途中から前記取込口に至るまで部分的に奥側へ窪ませて拡張部となすと共に、この拡張部の底面が斜め前方に向かって傾斜する傾斜部となっており、前記前面扉の前記ベース部材が、前記透明板の下面に対向する載置部と、前記拡張部の背面に対向するように前記載置部から屈曲すると共に前記透明板の背面と略同一面内を下方へ延びる垂下部と、この垂下部の下端から前方へ突出して前記傾斜部に対向する突出部とを有しているという構成にした。
【０００８】
このように構成されたパチンコ機では、一体扉タイプの前面扉のベース部材から受け皿が突出するように設けられており、この受け皿の背面板を部分的に奥側へ窪ませて拡張部となしているので、受け皿における遊技球の貯留スペースを拡大することができる。そして、前面扉のベース部材が、透明板の下面に対向する載置部と、拡張部の背面に対向するように載置部から屈曲すると共に透明板の背面と略同一面内を下方へ延びる垂下部と、この垂下部の下端から前方へ突出して拡張部の底面の傾斜部に対向する突出部とを有しているので、これら載置部と垂下部および突出部が連続する形状によって透明板の受け部分の強度を高めることができる。
【０００９】
上記の構成において、遊技盤の下方部に垂下部の裏面と対向する発射側面を設けると共に、遊技盤と透明板の背面との間に遊技領域を設け、垂下部の裏面と発射側面との間に、遊技領域に向けて発射装置から発射された遊技球の発射軌道を形成するための所定間隔が設けられていることが好ましい。
【００１０】
また、上記の構成において、受け皿の背面板と前面扉のベース部材とがいずれも合成樹脂製の成形品であると共に、拡張部の背面と垂下部との間に金属板が介設されていると、この金属板によって「穿孔ゴト」と呼ばれる不正行為を阻止することができて好ましい。すなわち、このような金属板が拡張部の背面と垂下部との間に介設されていないと、パチンコ機の前方から受け皿の背面板とベース部材に比較的簡単に孔を開けることができるが、かかる孔開け作業を金属板によって阻止できるため、その孔にピアノ線等を挿入して前面扉の施錠を解除する等の不正行為を未然に防止することができる。
【発明の効果】
【００１１】
本発明のパチンコ機は、一体扉タイプの前面扉のベース部材から受け皿が突出するように設けられており、この受け皿の背面板を部分的に奥側へ窪ませて拡張部となすと共に、前面扉のベース部材に形成された載置部と垂下部および突出部の形状によって透明板の荷重が受け止められるため、透明板の受け部分の強度を確保した上で受け皿の大容量化を図ることができる。
【図面の簡単な説明】
【００１２】
【図１】実施形態例に係るパチンコ機の外観を示す斜視図である。
【図２】図１に示すパチンコ機の前面扉を開放した状態の斜視図である。
【図３】図１に示すパチンコ機の背面図である。
【図４】図１に示すパチンコ機の縦断面図である。
【図５】図４の要部拡大図である。
【図６】図１に示すパチンコ機に備えられる上段受皿の斜視図である。
【発明を実施するための形態】
【００１３】
発明の実施の形態について図面を参照して説明すると、図１に示すように、本発明の実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。図５に示すように、この透明板４は、透光性を有する前板４ｆと後板４ｇを前後方向で一定間隔となるように空けて並列的に保持する外周保持枠４ｂを備える積層ガラス構造となっている。
【００１４】
図２に示すように、機枠１の左側枠部には上側軸受け体５Ａと下側軸受け体５Ｂが固着されており、この下側軸受け体５Ｂよりも下方の左下隅部には大型のスピーカ６が配設されている。一方、本体枠２の左側枠部の上下両端には第１ピン（図示省略）が設けられており、これら両第１ピンを上側軸受け体５Ａと下側軸受け体５Ｂに軸支することによって、本体枠２を機枠１に対して開閉自在に支持する第１ヒンジ機構が構成されている。
【００１５】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や可動役物装置、始動入賞口、一般入賞口、アタッカー装置、遊技釘、風車、アウト口等が設けられている。遊技盤７よりも下方の本体枠２は前面扉３によって覆い隠される設置部２ｂとなっており、設置部２ｂ内の下部中央には発射装置１０が配設されている。この発射装置１０は図示せぬロータリソレノイドを駆動源として回転（揺動）するハンマ１０ａを備えており、本体枠２に対して前面扉３が閉じられたとき、前面扉３の裏面側に設けられた整流器１７の出口１７ａがハンマ１０ａの前方の待機位置に対向するようになっている。
【００１６】
本体枠２の右側枠部は第１ヒンジ機構と反対側の自由端側であり、この右側枠部にはシリンダ錠１１が設けられている。図示省略されているが、本体枠２の右側面にはシリンダ錠１１を有する施錠装置が設置されており、この施錠装置１１は本体枠２の裏面側に突出する後部施錠杆と本体枠２の前面側に突出する前部施錠杆とを備えている。常態では、施錠装置の後部施錠杆によって機枠１に対して本体枠２が施錠されると共に、前部施錠杆によって本体枠２に対して前面扉３が施錠されており、シリンダ錠１１の鍵穴に図示せぬ鍵を差し込んでこれを一方向（例えば時計回り）へ回動すると、後部施錠杆が下動して本体枠２が開錠されるようになっている。また、シリンダ錠１１の鍵穴に差し込んだ鍵を他方向（反時計回り）へ回動すると、前部施錠杆が上動して前面扉３が開錠されるようになっている。
【００１７】
図１に戻り、前面扉３の左側枠部の上下両端には第２ピン（図示省略）が設けられており、これら両第２ピンを本体枠２の左側枠部に突設した上下の支持板２ａ−１，２ａ−２に軸支することによって、前面扉３を本体枠２に対して開閉自在に支持する第２ヒンジ機構が構成されている。前面扉３には遊技盤７の盤面に対向する大きな開口部３ａが開設されており、この開口部３ａは透明板４によって裏面側から塞がれている。図２に示すように、外周保持枠４ｂの下面４ｃを後述する載置部２４ａおよび延設突出部２４ｇに載置した後において、外周保持枠４ｂの上部を着脱可能に保持させるための保持機構部αが前面扉３の裏面側に設けられている。前面扉３の前面上部には比較的小型のスピーカ１２が左右に１個ずつ配設されており、これらスピーカ１２と前述した大型のスピーカ６とによって遊技に関する様々な効果音を発するようになっている。また、前面扉３の前面下部には、遊技盤７の裏面に配設された遊技球払出装置（後述する）から払い出された遊技球を収容する上段受皿１３と、上段受皿１３から排出された遊技球を収容する下段受皿１４と、遊技者による押圧操作が可能なプッシュ釦１５とが設けられており、下段受皿１４の右側方には発射装置１０の発射強度を調整するための操作ハンドル１６が配設されている。したがって、前面扉３を本体枠２に対して開閉した際には、透明板４と一緒に上段受皿１３および下段受皿１４も開閉する一体扉タイプの構造となっている。
【００１８】
前述した整流器１７は上段受皿１３に連設されて前面扉３の裏面側に突出しており、上段受皿１３に貯留された遊技球は、整流器１７で一列に整流された状態で出口１７ａから発射装置１０の前記待機位置へ１個ずつ供給される。そして、この状態で遊技者が操作ハンドル１６を回動操作すると、ハンマ１０ａが回転して待機位置に保持されていた遊技球を斜め上方に打撃するため、遊技球は図２中に矢印Ｍで示す斜めの発射軌道を通って遊技領域９内に打ち出される。なお、遊技領域９の前後方向の幅（例えば、遊技球１個以上２個未満の間隔）は、遊技盤７の前面と透明板４（後板４ｇ）の背面とで規定されるようになっており、発射軌道Ｍに係る一面は後板４ｇの背面と略同一面内を下方へ延びるように形成されている。
【００１９】
図３に示すように、このパチンコ機の背面側には、遊技に関する主要な処理を行う主制御基板１８と、主制御基板１８からの指令を受けて可変表示装置やスピーカ等の各種装置を制御する副制御基板１９と、前述した遊技球払出装置２０と、主制御基板１８からの指令を受けて遊技球払出装置２０を制御する払出制御基板２１と、操作ハンドル１５の回動量に応じて発射装置１０の作動を制御する発射制御基板２２と、大当たり回数等の各種情報を遊技場のホールコンピュータに出力する外部端子基板２３等が設けられている。主制御基板１８には、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、このＣＰＵがＲＯＭに格納された各種プログラムやデータを読み込んで実行することにより、遊技に関する主要な処理が行われる。
【００２０】
上段受皿１３は前面扉３を構成する合成樹脂製のベース部材２４から前方へ突出しており、図４〜図６に示すように、この上段受皿１３は、上面と背面を開放する断面Ｌ字状の皿本体２５と、皿本体２５の背面側の開放端を塞ぐ背面板２６とで構成されている。これら皿本体２５と背面板２６はいずれも合成樹脂製の成形品であり、両者２５，２６はスナップ結合やネジ止め等の固定手段を用いて一体化されている。背面板２６には遊技球払出装置２０から排出される遊技球を受け入れる取込口２７が設けられており、皿本体２５には上段受皿１３内の遊技球を一列に整列すると共に整流器１７に向けて排出する供給口２８が設けられている。これら取込口２７と供給口２８は上段受皿１３の左右方向（図６に示すＢ−Ｄ方向）へ離間した位置にあり、皿本体２５の底面は取込口２７から供給口２８に向かって下り勾配で傾斜している。また、上段受皿１３は供給口２８側へ流下するにしたがって遊技球を一列に整列するように通路幅を狭くする下り勾配の構成となっており、供給口２８側底面２５ｂの下方位置に発射装置１０が配設されている。
【００２１】
背面板２６は前面扉３の開口部３ａに嵌め込まれた透明板４（外周保持枠４ｂ）下側の左右に延びるフレーム前面となる前側底辺４ｅを覆うように配設されており、開口部３ａの下辺部として構成する背面板２６の上側左右方向（図６に示すＡ−Ｅ方向）の領域として上側背面板２６ｃを残しつつ、背面板２６の左右方向の途中（図６に示すＣ）から取込口２７（図６に示すＡ）に至るまでその上側背面板２６ｃより下側を部分的に奥側へ窪ませて、上段受皿１３内に遊技球を貯留可能な開口を形成することにより、当該取込口２７を含めて窪ませた部位が拡張部２６ａとなっている。図５から明らかなように、拡張部２６ａの断面形状は略コ字状に形成されている。そして、拡張部２６ａの背面２６ｅに取込口２７が設けられ、その取込口２７から排出された遊技球を滑走させる底面は斜め前方に向かって傾斜する傾斜部２６ｂとなっており、この傾斜部２５ｂが皿本体２５の底面２５ｂと滑らかに連続している。
【００２２】
図５に示すように、ベース部材２４の一部は背面板２６の後側で重なるよう拡張部２６ａの断面形状と同様に断面略コ字状に形成されている。当該コ字状部分は、背面板２６の上側背板面２６ｃの後側で重なる立ち上り面２４ｅの面下端から外周保持枠４ｂ（透明板４）の下面４ｃに対向して載置状態を可能とする水平面状となるように屈曲する載置部２４ａと、拡張部２６ａの背面２６ｅの後側に対向するように載置部２４ａの面後端から鉛直状となるように屈曲すると共に透明板４（後板４ｇ）の背面と略同一面内を下方へ延びる鉛直面状の垂下部２４ｂと、この垂下部２４ｂの面下端から前方へ突出するように屈曲して傾斜部２６ｂの下側に対向する傾斜面状の突出部２４ｃとを有している。
【００２３】
垂下部２４ｂの裏面２４ｂ’は前述した遊技球の発射軌道Ｍの前方に位置し、図２と図５に示すように、外側ガイドレール８ｂと内側ガイドレール８ｃとの間に向かって斜め上方に発射される遊技球Ｚの左側面に沿う垂下部２４ｂの裏面２４ｂ’となるように位置している。また、垂下部２４ｂの裏面２４ｂ’に取込口２７が設けられており、この取込口２７は背面板２６の背面２６ｅに設けられた取込口２７と連通している。さらに、取込口２７は設置部２ｂに設けられた遊技球払出口βと連通している。なお、設置部２ｂにおいて斜め上方に発射される遊技球Ｚの右側面に沿う鉛直面状の発射側面２ｂ’が裏面２４ｂ’と所定間隔を空けて対向するように設けられ、これにより発射軌道Ｍの前後空間が形成されている。また、図２に示すベース部材裏面２４ｆの面部分から後方へ向かって突出する突出幅Ｙは、整流器１７の設置に係る突出幅と略同等である。さらに、突出する整流器１７の上面を覆うようにベース部材２４の突出部２４ｃが位置している。そして、図５の二点鎖線で示すように、整流器１７の出口１７ａから待機位置Ｔへ向けて遊技球Ｚが排出されるようになる。
【００２４】
また、図２に示すように、載置部２４ａには、左右方向の途中位置から外周保持枠４ｂの左側面に向かって下面４ｃに対向して載置状態を可能とする薄板状の延設突出部２４ｇが設けられている。このように、前面扉３のベース部材２４が載置部２４ａと垂下部２４ｂおよび突出部２４ｃをコ字状に連続させた部分を有しており、当該部分を前述した遊技球の発射軌道Ｍを阻害しない位置まで上側背板面２６ｃ（立ち上り面２４ｅ）よりも後方位置に突出させると共に、背面板２６の略コ字状の断面形状の拡張部２６ａにおける上面２６ｆと載置部２４ａ、背面２６ｅと垂下部２４ｂ、傾斜部（底面）２６ｂと突出部２４ｃに重ね合わせているため、重量の大きな透明板４の荷重は背面板２６の拡張部２６ａとベース部材２４のコ字形状に屈曲させた面部分によって受け止められている。したがって、背面板２６の拡張部２６ａによって上段受皿１３の大容量化を図った上で、透明板４の前面扉３への取り付けにおける受け部分の強度を確保することができる。
【００２５】
また、少なくとも背面板２６の拡張部２６ａの背面２６ｅとベース部材２４の垂下部２４ｂとの間に、当該面形状と略同形状となるようにしてその全面領域をカバーする金属板（鉄板）２９が介設されており、この金属板２９によって「穿孔ゴト」と呼ばれる不正行為を阻止している。すなわち、本実施形態例では、背面板２６とベース部材２４はいずれも合成樹脂製の成形品であるため、拡張部２６ａの背面２６ｅと垂下部２４ｂとの間に金属板２９が介設されていないと、パチンコ機Ｐの前方から拡張部２６ａの背面２６ｅと垂下部２４ｂに比較的簡単に孔を開けることができるが、かかる孔開け作業を金属板２９によって阻止できるため、その孔にピアノ線等を挿入して前面扉３の施錠を解除する等の不正行為を未然に防止することができる。
【００２６】
以上説明したように、本実施形態例に係るパチンコ機Ｐは、本体枠２に対して軸支される一体扉タイプの前面扉３の少なくとも開口部３ａより下方部を構成するベース部材２４から上段受皿１３（皿本体２５、背面板２６）が突出するように設けられており、この上段受皿１３の背面板２６を上側背板面２６ｃよりも部分的に後板４ｇの背面と略同一面以内となるように奥側へ窪ませる拡張部２６ａとなしているので、上段受皿１３における遊技球の貯留スペースを拡大することができる。そして、前面扉３のベース部材２４が、立ち上り面２４ｅから屈曲して上段受皿１３の上方かつ開口部３ａの裏面側に保持させる透明板４の下面４ｅに対向する載置部２４ａと、拡張部２６ａの背面２６ｅに対向するように載置部２４ａから屈曲すると共に透明板４の背面（後板４ｇ）と略同一面内を下方へ延びる垂下部２４ｂと、この垂下部２４ｂの下端から前方へ屈曲することで突出して拡張部２６ａの底面の傾斜部２６ｂに対向する突出部２４ｃとを有しているので、これら載置部２４ａと垂下部２４ｂおよび突出部２４ｃが連続するコ字形状によって透明板４の荷重が受け止められ、立ち上り面２４ｅよりも部分的に前述した遊技球の発射軌道Ｍを阻害しない位置まで後方に突出させ、遊技球の発射軌道Ｍを形成するよう発射側面２ｂ’と対向させるようにすると共に、透明板４の前面扉３への取り付けにおける受け部分の強度を確保した上で上段受皿１３の大容量化を図ることができる。
【００２７】
なお、上記実施形態例では、皿本体２５の底面２５ｂと背面板２６の傾斜部２５ｂとを連続させることによって上段受皿１３の底面を構成しているが、皿本体２５の底面２５ｂを拡張部２６ａの底面２６ｅ上まで重なるように延長して継ぎ目のない傾斜部となすことも可能である。
【００２８】
また、上記実施形態例では、背面板２６の拡張部２６ａとベース部材２４の垂下部２４ｂとの間に金属板２９を介設しているが、このような金属板２９を垂下部２４の背面側（裏面２４ｂ’の全面領域を覆うよう）に設けることも可能である。さらに、遊技球の発射軌道Ｍの前方に垂下部２４の裏面２４ｂ’または金属板２９が位置する場合、これら裏面２４ｂ’または金属板２９が発射された遊技球Ｚと接触する可能性があるため、裏面２４ｂ’または金属板２９をカバー部材等で覆って保護するようにしても良い。あるいは、他の実施形態例として、上面２６ｆと載置部２４ａ、背面２６ｅと垂下部２４ｂ、傾斜部（底面）２６ｂと突出部２４ｃとの間に、略コ字状の断面形状の金属板（鉄板）２９を介設すると、上述した受け部分の強度をより高めることができる共に、不正行為をよりやり難くすることができるので好ましい。
【００２９】
また、上記実施形態例では、前面扉３の前面に上段受皿１３と下段受皿１４を設けたパチンコ機Ｐを例示して説明したが、本発明が対象とする受け皿は上段受皿１３であり、下段受皿１４については必要に応じて省略することも可能である。
【符号の説明】
【００３０】
１  機枠
２  本体枠
３  前面扉
３ａ  開口部
４  透明板
７  遊技盤
９  遊技領域
１０  発射装置
１３  上段受皿（受け皿）
１４  下段受皿
１６  操作ハンドル
１７  整流器
２０  遊技球払出装置
２４  ベース部材
２４ａ  載置部
２４ｂ  垂下部
２４ｃ  突出部
２５  皿本体
２６  背面板
２６ａ  拡張部
２６ｂ  傾斜部
２７  取込口
２８  供給口
２９  金属板
Ｍ  発射軌道
Ｐ  パチンコ機
【図１】
2014236855.tif 000003
【図２】
2014236855.tif 000004
【図３】
2014236855.tif 000005
【図４】
2014236855.tif 000006
【図５】
2014236855.tif 000007
【図６】
2014236855.tif 000008